(57)【要約】【解決手段】スラブＳ上に載置される、受台２０と脚部材１とからなる下地パネル載置部材Ｈ及び該下地パネル載置部材に載置される下地パネル３０とからなる床構造において、前記下地パネル載置部材を構成する受台を、長尺受台として形成したものである。【効果】従来の下地パネル載置部材のように、下地パネルの角部を、必ずしも、略平方形状の受台に載置する必要がないので、下地パネルの角部が、長尺受台のどの位置にあってもよく、しかも、下地パネルの短辺同士が、互いに、当接するように、下地パネルを、下地パネル載置部材を構成する長尺受台に載置すればよく、従って、従来の下地パネル載置部材のように、下地パネルの短辺間に、受台の中心部に穿設された縦孔が塞がれないような間隙を形成する必要がない。従って、下地パネル載置部材への下地パネルの布設作業の作業性が向上する。【選択図】図３
2010209596.tif 000002
【特許請求の範囲】
【請求項１】
スラブ上に載置される、受台と脚部材とからなる下地パネル載置部材及び該下地パネル載置部材に載置される下地パネルとからなる床構造において、前記下地パネル載置部材を構成する受台を、長尺受台として形成したことを特徴とする床構造の施工方法。
【発明の詳細な説明】
【技術分野】
【０００１】
本願発明は、コンクリート製のスラブ上に施工される床構造に関するものである。
【背景技術】
【０００２】
先ず最初に、図６〜図９を用いて、従来の発明について説明する。
【０００３】
１は、脚部材であり、脚部材１は、上端に、工具挿入用溝１ａ１が形成されている棒状のボルト１ａと、ボルト１ａの下端に取着された防振ゴム部１ｂと、ボルト１ａの上端部に螺合されるナット１ｃとから構成されている。ナット１ｃは、内周にネジ溝が刻設された円筒部１ｃ１と、円筒部１ｃ１の下端外周面に形成された鍔部１ｃ２とを有している。また、ボルト１ａの上端部に螺合されたナット１ｃには、一辺が、略１０数ｃｍセンチ程度の略平方形状の受台２の中心部に穿設された縦孔２ａが嵌着されている。このようにして、脚部材１と受台２とにより、下地パネル３が載置される下地パネル載置部材Ｈ’が構成されている。なお、４は、下地パネル３に載置される床パネルである。
【０００４】
床構造を施工する際には、床構造が施工されるスラブＳ上に、上述した下地パネル載置部材Ｈ’を、縦横に所定の間隔を置いて、多数、配置する。その後、下地パネル載置部材Ｈ’を構成する受台２に、下地パネル３を載置することになるが、複数の下地パネル３の角部３ａを、下地パネル載置部材Ｈ’を構成する１辺が、略１０数ｃｍ程度の略平方形状の受台２に載置しなければならず、しかも、下地パネル３を、下地パネル載置部材Ｈ’を構成する受台２に載置した後、下地パネル３の水平出しを行うために、ボルト１ａの工具挿入用溝１ａ１に工具を挿入しなければならないために、受台２に形成された縦孔２ａが、下地パネル３により塞がれないように、受台２に、下地パネル３を載置する必要があり、従って、下地パネル３の角部３ａの角部３ａの受台２への載置面積が、更に少なくなることになる。
【０００５】
また、従来の発明においては、上述したように、下地パネル３の４つの角部３ａが、下地パネル載置部材Ｈ’を構成する略平方形状の受台２に載置されるように、床構造が施工されるスラブＳ上に、下地パネル載置部材Ｈ’を配置することになる。
【０００６】
上述した従来の床構造は、一例として、特許文献１に開示されている。
【先行技術文献】
【特許文献】
【０００７】
【特許文献１】特開２００２−８１１９６号公報
【発明の概要】
【発明が解決しようとする課題】
【０００８】
上述した従来の床構造においては、複数の床下地パネルの角部が、略正方形状の受台に載置されているために、床構造の施工時に脚部材が移動した際に、床下地パネルが、受台から外れたり、或いは、床下地パネルが、受台から外れることがなくても、床下地パネルの角部の受台への載置面積が異なることにより、受台への載置面積が小さい床下地パネルの強度や剛性が低下するという問題があった。
【０００９】
また、略正方形状の受台に、床下地パネルの角部を載置しなければならず、従って、受台への床下地パネルの角部の載置作業の作業性が悪いという問題があった。
【００１０】
本発明の目的は、上述した従来の床構造及び該床構造の施工方法が有する課題を解決することにある。
【課題を解決するための手段】
【００１１】
本発明は、上述した目的を達成するために、スラブ上に載置される、受台と脚部材とからなる下地パネル載置部材及び該下地パネル載置部材に載置される下地パネルとからなる床構造において、前記下地パネル載置部材を構成する受台を、長尺受台として形成したものである。
【発明の効果】
【００１２】
スラブ上に載置される、受台と脚部材とからなる下地パネル載置部材及び該下地パネル載置部材に載置される下地パネルとからなる床構造において、前記下地パネル載置部材を構成する受台を、長尺受台として形成したので、従来の下地パネル載置部材のように、下地パネルの角部を、必ずしも、略平方形状の受台に載置する必要がないので、下地パネルの角部が、長尺受台のどの位置にあってもよく、しかも、下地パネルの短辺同士が、互いに、当接するように、下地パネルを、下地パネル載置部材を構成する長尺受台に載置すればよく、従って、従来の下地パネル載置部材のように、下地パネルの短辺間に、受台の中心部に穿設された縦孔が塞がれないような間隙を形成する必要がない。従って、下地パネル載置部材への下地パネルの布設作業の作業性が向上する。
【００１３】
また、上述したように構成することにより、下地パネル載置部材を構成する長尺受台が、根太として機能するので、従来の略平方形状の受台に比べて、床構造の強度や剛性が増加する。
【図面の簡単な説明】
【００１４】
【図１】図１は、本発明の床構造を構成する下地パネル長尺載置部材の斜視図である。
【図２】図２は、本発明の床構造を構成する下地パネル長尺載置部材の分解斜視図である。
【図３】図３は、本発明の床構造を構成する下地パネル長尺載置部材に下地パネルが載置された状態の拡大斜視図である。
【図４】図４は、本発明の床構造を構成する下地パネル長尺載置部材に、下地パネルが載置された状態の平面図である。
【図５】図５は、図４のＦーＦに沿った部分拡大垂直断面図である。
【図６】図６は、従来の下地パネル載置部材の分解斜視図である。
【図７】図７は、図６に示されている下地パネル載置部材に、下地パネルが載置されている状態の拡大垂直断面図である。
【図８】図８は、図６に示されている下地パネル載置部材に、下地パネル及び床パネルが載置されている状態の垂直断面図である。
【図９】図９は、従来の下地パネル載置部材を構成する受台に、下地パネルが載置された状態の平面図である。
【実施例】
【００１５】
以下に、本発明の床構造について説明するが、本発明の趣旨を越えない限り、何ら、本実施例に何ら限定されるものではない。なお、上述した従来の発明の構成部材と同じ構成部材については、同じ符号が使用されている。
【００１６】
図１及び図２において、１は、上述した従来の脚部材と同様の脚部材である。即ち、脚部材１は、上端に、工具挿入用溝１ａ１が形成された棒状のボルト１ａと、ボルト１ａの下端に取着された防振ゴム部１ｂと、ボルト１ａの上端部に螺合されるナット１ｃとから構成されているとともに、ナット１ｃは、内周にネジ溝が刻設された円筒部１ｃ１と、円筒部１ｃ１の下端外周面に形成された鍔部１ｃ２とから構成されている。
【００１７】
２０は、上述した略平方形状の受台２に代えて使用される長尺受台であり、長尺受台２０には、長尺受台２０の長手方向に沿って、複数の縦孔２０ａが穿設されている。なお、本実施例においては、長尺受台２０の長手方向の両端部に、それぞれ、１個の縦孔２０ａが穿設されており、両端部に穿設された一対の縦孔２０ａ間に、２個の縦孔２０ａが穿設されている例が示されている。また、縦孔２０ａに、上述した従来の略平方形状の受台２の中心部に穿設された縦孔２ａと同様に、脚部材１を構成するナット１ｃの円筒部１ｃ１を嵌着することにより、長尺受台２０には、図１に示されているように、複数の脚部材１が取り付けられることになる。このように、脚部材１と長尺受台２０とにより、下地パネル３が載置される下地パネル長尺載置部材Ｈが構成されることになる。なお、図１には、長尺受台２０に、４個の脚部材１が取り付けられている例が示されているが、脚部材１の数は、この実施例に限定されるものではない。
【００１８】
また、３０は、上述した下地パネル３と同様の下地パネルであり、下地パネル３０は、短辺３０’長さが、４００ｍｍ〜１０００ｍｍ程度であり、また、長辺３０”長さが、９００ｍｍ〜２０００ｍｍ程度に形成された平面形状が、長方形に形成されている。下地パネル３０を、短辺３０’に平行に、及び／又は、長辺３０”に平行に、適宜、切断することにより、切断されていない、製造された状態のままの下地パネル（切断されていない、製造された状態のままの下地パネルを、以下、単に、製造時下地パネルと称し、符号３０Ａを付す。）より、平面形状が小さな下地パネル３０を使用することもできる。なお、切断された状態の下地パネルを、以下、単に、切断下地パネルと称し、符号３０Ｂを付す。なお、製造時下地パネル３０Ａ及び切断下地パネル３０Ｂに、特に、限定されない場合には、単に、下地パネルと称し、符号３０を付す。
【００１９】
上述した長尺受台２０は、長手方向に対して垂直に切断することにより、短くして使用することもできる。また、切断されていない長尺受台２０の長手方向に沿った長さは、製造時下地パネル３０Ａの長辺の長さより、長く形成されている。
【００２０】
床構造を施工する際には、先ず最初に、所望の壁Ｗに対して、下地パネル長尺載置部材Ｈを構成する長尺受台２０が垂直となるように、複数の下地パネル長尺載置部材Ｈを、スラブＳ上に配置する。図４には、長尺受台２０が、互いに平行となるように、４列Ｉ〜IVに亘たって、下地パネル長尺載置部材Ｈが配置されている例が示されており、各列Ｉ〜IVは、各列の隣接する下地パネル長尺載置部材Ｈを構成する長尺受台２０の短辺２０’同士を当接させることにより、複数の下地パネル長尺載置部材Ｈから構成されている。なお、所望の壁Ｗと相対する壁と、各列Ｉ〜IVの下地パネル長尺載置部材Ｈを構成する長尺受台２０のうち、図４において、右端に位置する長尺受台２０との間に、１本の長尺受台２０の長さより短い間隔が残っている場合には、この間隔を埋めるように、適宜、長尺受台２０が切断されることになる。
【００２１】
次いで、隣接する列間（例えば、Ｉ列とII列）を構成する長尺受台２０を跨ぐように、且つ、長尺受台２０の長辺（長尺受台２０の長さ方向の辺）２０”側と下地パネル３０の長辺３０”側とが一致するように、長尺受台２０の長辺２０”に沿った長尺受台２０の長辺側縁部に、下地パネル３０の長辺３０”に沿った長辺側縁部を載置する。同様に、隣接する列間（例えば、II列とIII列）を構成する長尺受台２０を跨ぐように、且つ、長尺受台２０の長辺２０”側と下地パネル３０の長辺３０”側とが一致するように、長尺受台２０の長辺２０”に沿った長尺受台２０の長辺側縁部に、下地パネル３０の長辺３０”に沿った長辺側縁部を載置する。この際、隣接する列（例えば、Ｉ列とII列）を構成する下地パネル長尺載置部材Ｈの長尺受台２０を跨ぐように、長尺受台２０に載置された下地パネル３０の長辺３０”と、隣接する列（例えば、II列とIII列）を構成する下地パネル長尺載置部材Ｈの長尺受台２０を跨ぐように、長尺受台２０に載置された下地パネル３０の長辺３０”との間には、工具挿入用間隙Ｄが形成されるように構成されており、且つ、この工具挿入用間隙Ｄに、長尺受台２０に穿設された縦孔２０ａが位置するように構成されている。
【００２２】
また、上述したように、隣接する列（例えば、Ｉ列とII列、II列とIII列）を構成する下地パネル長尺載置部材Ｈの長尺受台２０を跨ぐように、長尺受台２０に載置される複数の下地パネル３０の短辺３０’同士は、互いに、当接するように構成されている。
【００２３】
その後、公知のように、所定の下地パネル３０の上面に、水準器を載置するとともに、工具挿入用間隙Ｄ及び長尺受台２０に穿設されている縦孔２０ａに、工具を挿入し、且つ、脚部材１を構成するボルト１ａの上端に形成された工具挿入用溝１ａ１に、工具の先端を嵌合させて、工具を、適宜、回動させて、脚部材１を構成するナット１ｃを上下動させることにより、下地パネル３０の水平出しを行う。このような下地パネル３０の水平出し作業を、各下地パネル３０について行うことにより、全ての下地パネル３０について、水平出しを行う。その後、公知のように、水平出しされた下地パネル３０に、床パネル４やフローリング材等を布設し、床構造が施工されることになる。
【００２４】
上述したように、下地パネル長尺載置部材Ｈを構成する、下地パネル３０が載置される受台を、長尺受台２０としたので、従来の下地パネル載置部材Ｈ’のように、下地パネル３の角部３ａを、必ずしも、略平方形状の受台２に載置する必要がないので、下地パネル３０の角部３０ａが、長尺受台２０のどの位置にあってもよく、しかも、下地パネル３０の短辺３０’同士が、互いに、当接するように、下地パネル３０を、下地パネル長尺載置部材Ｈを構成する長尺受台２０に載置すればよく、従って、従来の下地パネル載置部材Ｈ’のように、下地パネル３の短辺間に、受台２の中心部に穿設された縦孔２ａが塞がれないような間隙を形成する必要がない。このように構成されているので、下地パネル長尺載置部材Ｈへの下地パネル３の布設作業の作業性が向上する。
【００２５】
上述したように構成することにより、下地パネル長尺載置部材Ｈを構成する長尺受台２０が、根太として機能するので、従来の略平方形状の受台２に比べて、床構造の強度や剛性が増加することになる。
【００２６】
なお、上述した実施例には、下地パネル長尺載置部材Ｈに、下地パネル３を載置した後、下地パネル３の水平出しを行うようにした構成が示されているが、下地パネル長尺載置部材Ｈに、下地パネル３を載置する前に、下地パネル長尺載置部材Ｈを構成する長尺受台２０の上面に、水準器を載置するとともに、長尺受台２０に穿設されている縦孔２０ａに、工具を挿入し、且つ、脚部材１を構成するボルト１ａの上端に形成された工具挿入用溝１ａ１に、工具の先端を嵌合させて、工具を、適宜、回動させて、脚部材１を構成するナット１ｃを上下動させることにより、長尺受台２０の水平出しを行うように構成することもできる。その後、水平出しされた長尺受台２０に、下地パネル３０を載置することにより、床構造が施工することができる。
【符号の説明】
【００２７】
Ｈ・・・・・・・・・・・・・・・下地パネル長尺載置部材
Ｈ’・・・・・・・・・・・・・・下地パネル載置部材
Ｓ・・・・・・・・・・・・・・・スラブ
１・・・・・・・・・・・・・・・脚部材
２・・・・・・・・・・・・・・・受台
２０・・・・・・・・・・・・・・長尺受台
３、３０・・・・・・・・・・・・下地パネル
【図１】
2010209596.tif 000003
【図２】
2010209596.tif 000004
【図３】
2010209596.tif 000005
【図４】
2010209596.tif 000006
【図５】
2010209596.tif 000007
【図６】
2010209596.tif 000008
【図７】
2010209596.tif 000009
【図８】
2010209596.tif 000010
【図９】
2010209596.tif 000011